(57)【要約】      （修正有）【課題】保管の安定性を高め、楽器の出し入れ時の容易性を有するギターケースを提供する。【解決手段】ギターケースの蓋体部の下部に２か所のスライダーを、そしてギター本体収納ケースの下部に２か所のスリット４、５を設け、スライダーとスリット４、５をはめ合わせて設置することによって、ギター本体を保持している蓋体部をスライドさせることによりギター本体の取出し、収納を容易にする。更にギターケースの転倒防止の為にギター本体収納ケースの下部の前後と左右に合計４か所のサポート６〜９を設けることによってギターケースを安定して自立できるようにした。【選択図】図２
0003219658.tif 000002
【実用新案登録請求の範囲】
【請求項１】
ギター本体を保持する機能と２か所のスライダーを備え、一部がプラスチック系樹脂で製作される「蓋体部」が同様の材質をもつ「ギター本体収納ケース」の２か所のスリットをスライドすることによって前方に引き出され、ギター本体を容易に取り出しやすくし、かつギター本体収納時にも同じ手段で収納を容易にするギターケース。
【請求項２】
ギターケースの蓋体部の下部にギター本体保持の為のプラスチック系樹脂素材でお椀状の部位を形成し、その下部に２か所の棒状のスライダーを設けた請求項１に記載のケース
【請求項３】
ギター本体収納ケースの下部（長手方向と逆側）にスライダー用の２か所のスリットを設け、一部がプラスチック系樹脂で製作される請求項１に記載のギターケース
【請求項４】
ギター本体収納ケースの下部に前後左右に４か所のサポートを設けギターケースが自立できるようにした請求項１記載のギターケース
【考案の詳細な説明】
【技術分野】
【０００１】本考案は一般的なチャック開閉式のギターケースに関する
【背景技術】
【０００２】  従来の一般的ギターケースの開閉はチャック式が主流であり、保管方法は壁などへ立てかける斜め置きが一般的である。
【考案の概要】
【考案が解決しようとする課題】
【０００３】
0003219658.tif 000003
様にギターケースの周囲のチャックを全開してギター本体を取り出すしかなかった。又ギター本体をギターケースに収める場合も同様であった。
ギターケースの開閉の為には一旦ギターケースを床などの平面に置き、
0003219658.tif 000004
ギターケースを片手で押さえつつチャックを開放するという事が時として行われている。このような場合、チャックの開放はギターケース下部（ネック側と逆側）のＢ地点辺りまでに留まることが多かった。Ｂ地点より先のチャックを開けるには結局ギターケースを床等に置かざるを得ない為である。もし上述したように床などの平面にギターケースを置かないで、チャックを途中
0003219658.tif 000005
者は閉じようとして力が働く蓋体部を片手で押さえつつギター本体を取り出さなくてはならないという「不便さ」があった。又、ギターケースの保管の場合壁などに立てかけるなどしてギターケースが転倒することがあった。【０００４】  当考案はこうした従来のチャック式ギターケースが持つ欠点を解消する為のものであって、ギターケースの本来の役割、つまり保管、運搬の内、保管に関して更に安定性を高め、その他の付加価値として、演奏者に楽器の出し入れ時の容易性を提供することを目的とする。
【課題を解決するための手段】
【０００５】  先ずギターケースの保管時の自立の為に、ギター本体収納ケースの下部に４か所のサポートを装備する。（図２）ギターケースの左右に２か所（図２−
0003219658.tif 000006
前後のサポートはスライド式を採用する。【０００６】  ギターケースの蓋体部（図３）をギター本体収納ケース（図２）に接続する為にはパチン錠を使用する。同錠を取り付ける為、蓋体部には突起物の
0003219658.tif 000007
【０００７】  ギター本体を取り出しやすくする為、従来のチャック方式を改め蓋体部とギター本体収納ケースとをロックしている二カ所のパチン錠を外しギター本体を保持している蓋体部（図３）を前方にスライドさせることによってギター本体を取り出せるようにした。その為、蓋体部には２個のスライダーを装備し、ギター本体収納ケースには２か所のスリットを設ける。
【考案の効果】
【０００８】  従来のチャック開閉式ギターケースに比べてギター本体を床平面などに移動してギターケースを開閉しなくてよいのでギター本体の取出しと収納が容易である。【０００９】  ギターケースが自立するようにギター本体収納ケース下部にサポートを設けたのでギターが転倒する心配がない。又壁などに立てかける必要がない為，例えば部屋の真ん中などにも設置出来る。その為、比較的スペースのある練習会場などに於いてギタースタンドとしても使用することが出来る。【０００１０】当考案を実現するための構造や素材が従来品と比べ異なる為、今までにない斬新なデザインが可能になる。
【図面の簡単な説明】
【０００１１】
【図１】本考案によるギターケース外観図
【図２】ギター本体収納ケース
【図３】蓋体部
【図４】パチン錠取り付け用ブロックと受け入れ溝
【図５】従来型ケースでのチャックの全開
【図６】従来型ケースでのチャックの半開
【図７】蓋体部下部のお椀形状
【考案を実施するための形態】
【０００１２】図２はギター本体収納ケースの図である。フレーム全体はプラスチック系樹脂の一体もので製作され、蓋体部がパチン錠２個によって接続される。
0003219658.tif 000008
ギター本体を保持している蓋体部は前方にスライドする
【０００１３】図３にはその他に、サポートが記載されている。これらのサポートはギターケースの自立を助ける為のもので、ギター収納ケースの下部に４か所設けられる。
【０００１４】図３は蓋体部の図である。フレーム全体はプラスチック系樹脂の一体物で製作される。下部（長手方向と逆側）に設けられた二個のスライダー（図３−
0003219658.tif 000009
出来る。蓋体部の下部はお椀状の形状（図７）になっていてギター本体をギター下部（ネック側と逆）で保持する。この様に蓋体部にギター本体が保持されているので蓋体部をスライドさせればギターが容易に取り出せる
0003219658.tif 000010
クッションが形成されている。これらのクッションによりギター本体を衝撃から守ることが出来る。
【図１】
0003219658.tif 000011
【図２】
0003219658.tif 000012
【図３】
0003219658.tif 000013
【図４】
0003219658.tif 000014
【図５】
0003219658.tif 000015
【図６】
0003219658.tif 000016
【図７】
0003219658.tif 000017
【手続補正書】
【提出日】平成30年10月25日(2018.10.25)
【手続補正１】
【補正対象書類名】実用新案登録請求の範囲
【補正対象項目名】全文
【補正方法】変更
【補正の内容】
【実用新案登録請求の範囲】
【請求項１】
ギターケースの「蓋体部」の下部に２か所のスライダーを、そして「ギター本体収納ケース」の下部に２か所のスリットを設け、前記スライダーとスリットをはめ合わせて設置することによって、ギター本体を保持している「蓋体部」をスライドさせることによりギター本体の取出し、収納を容易にするギターケース。
【請求項２】
ギターケースの蓋体部の下部にギター本体保持の為のプラスチック系樹脂素材でお椀状の部位を形成し、その下部に２か所の棒状のスライダーを設けた請求項１に記載のギターケース。
【請求項３】
ギター本体収納ケースの下部にスライダー用の２か所のスリットを設け一部がプラスチック系樹脂で製作される請求項１に記載のギターケース。
【請求項４】
ギター本体収納ケースの下部に前後左右に４か所のサポートを設けギターケースが自立できるようにした請求項１記載のギターケース。
【手続補正２】
【補正対象書類名】図面
【補正対象項目名】図２
【補正方法】変更
【補正の内容】
【図２】
0003219658.tif 000018